(57)【要約】【課題】手元側の剛性を高め、先調子のクラブとして安心して叩けると共に、その結果として飛びと方向性の良いゴルフクラブとなるゴルフクラブ用シャフトを提供する。【解決手段】手元側のパラレル部Ｓ１と、先端側のパラレル部Ｓ３と、両パラレル部Ｓ１，Ｓ３間に形成されたテーパー部ｔ３とからなるゴルフクラブ用シャフトにおいて、テーパー部ｔ３と手元側のパラレル部Ｓ１との接点Ｄ部分を大きな円弧Ｒで繋ぐ。【選択図】図１
0003160014.tif 000002
【実用新案登録請求の範囲】
【請求項１】
一方にゴルフヘッドを固着し、他の一方にグリップを装着した炭素繊維強化樹脂製のゴルフ用シャフトであり、手元側を等径のパラレル部とし、他の部分を先端部分までテーパー部とした形状のゴルフ用シャフトにおいて、
前記パラレル部におけるパラレル線と前記テーパー部におけるテーパー線との交点近傍を、両線に接線で連結する円弧で結ぶような形状にし、かつ前記円弧の半径を５００ｍｍ以上２０００ｍｍ以下に設定したことを特徴とするゴルフクラブ用シャフト。
【請求項２】
異なる２つのテーパー線が存在する場合、その交点近傍を両線に接線で連結する円弧で結ぶ形状にしたことを特徴とする請求項１に記載のゴルフクラブ用シャフト。
【考案の詳細な説明】
【技術分野】
【０００１】  本考案は、ゴルフクラブに用いられるシャフトの構造に関するものである。
【背景技術】
【０００２】  ゴルフクラブにおいては、新素材の革新から、シャフトとして炭素繊維強化樹脂（ＣＦＲＰ）が用いられることが多くなり、ＣＦＲＰの中でも、更に高弾性かつ高強度の繊維の混紡により、より比強度および比弾性に優れたシャフトが開発されている。【０００３】  また、ヘッドにおいては、高強度ステンレスから、シャフトと同様に、比強度および比弾性に優れたチタンを使用し、そのチタンの中でも更に進歩したＳＰ７００等の高弾性チタンが使用され、ヘッドの形状が益々大型化されてきている。【０００４】  このようなヘッドが大型化により、衝撃時にヘッドの重心点（スイートスポット）を外れてもヘッドの慣性モーメントが大きくなり、ヘッドが回転されにくく方向性が良くなるばかりでなく、クラブが短く感じられるようになっている。このため、前記のように改良が進められているＣＦＲＰ製シャフトの装着との相乗効果によって、ゴルフクラブの長さを長くすることができ、所謂、長尺クラブの傾向が取り入れられてきた。【０００５】  クラブが長くなっても既述した新素材の効果により、クラブの総重量も抑えられ、長くても振り切れるため、ヘッドスピードがアップし、大型ヘッドの効果を伴い飛んで曲がらないクラブとなり得ている。【０００６】  ここでゴルフクラブの構造を考慮すれば、先端側にゴルフヘッドを固着し、手元側にグリップを挿着するため、ヘッドはできる限り衝撃部に重量配分をさせ、シャフト挿入部は極力重量を抑えたい。【０００７】  一般的に先端シャフト径は８．０〜９．０ｍｍである。一方、グリップ側は使用するゴルファー層に合わせ、男性，女性，ジュニア等、あるいは身長やゴルファーの好みに応じて太さが定められているが、一般的にはグリップ側シャフト径は、１４．５〜１６．０ｍｍであり、先のゴルファー層の違いを含めても径の差は１．５ｍｍの違いでしかない。【０００８】  ゴルファーにとって、グリップ径は非常に大切であり、微妙な調整も必要とされている。その微妙な調整は０．１〜０．２ｍｍ程度であり、その調整方法としては、シャフトと該シャフトを差し込むグリップとの間に介在させる粘着テープの巻き数を増やして調整する方法がある程度である。【０００９】  このようにゴルフクラブが軽量化し長尺化しても、シャフトの先端側径や手元側径は決められ、図３に示すように、全体にテーパーｔ１が形成されたシャフト構造のものにおいて、一般的なドライバー用シャフトでは、その寸法は全長Ｌ１が１１５０ｍｍ、先端直径ｄ１が８．５ｍｍ程度、グリップ側直径Ｄ１が１５．５ｍｍ程度である。【００１０】  また、図４に示すような、シャフトの両端が等径の並行部（以下、パラレル部という）Ｓ２，Ｓ３であり、かつ中央部がテーパーｔ２になっているシャフト構造のものにおいて、一般的なドライバー用シャフトでは、全長Ｌ１の寸法は図３に示すシャフトと同じであるが、両端部分のパラレル部Ｓ２，Ｓ３の端部を切断することにより、フェアウェイウッドの長さ１０００ｍｍ前後まで、多数の長さに対応できるようになっている。【００１１】  前記図３，図４に示すようなシャフト構造が一般的であるため、クラブの長尺化により、シャフト全体の平均的剛性は低くなり易く、特に、元側の剛性を上���先調子、所謂、先しなりの特性とする必要があった。【００１２】  その対応として、図５に示すような先端部分Ｓ３がパラレルであり、手元側の太径に向って径が太いテーパーｔ３が形成された、一般に「太グリップ」と言われる考案がなされている（例えば、特許文献１，２参照）【００１３】  併しながら、太グリップの大きな問題は、前述のようにグリップ径は非常に微妙であり、０．１〜０．２ｍｍの範囲で調整が必要なものを、太グリップの多くのものでは、手元側シャフト径が１８．０〜３０．０ｍｍとしているため、手元剛性はアップしてもグリップが太すぎてゴルファーには受け入れられないものであった。【００１４】  また、特許文献２ではベースボールグリップをするゴルファーには良いとの記載があるが、ゴルファーでベースボールグリップをする層は皆無ではないが、極めて少ないものである。【００１５】  他の考案として、グリップ径、即ち手元側の径を変えずに、その等径のパラレル部の長さを長くして、手元側の剛性をアップする案が特許文献３，４に提案されている。【００１６】  これは、単に図４に示すような、手元側パラレル部（特許文献５参照）のみを長くしただけではあるが、確かに手元側の剛性はアップし得る。先端側が従来と変らないとすれば、剛性分布は手元側と先端側の相対差で示されるから手元側に移行したことになり、先しなりのシャフトとなり得る。
【先行技術文献】
【特許文献】
【００１７】
【特許文献１】特開２０００−３４２７２９号公報
【特許文献２】特開平９−２９９５２４号公報
【特許文献３】特開平９−１７３５１５号公報
【特許文献４】特開２００３−１８０８９１号公報
【特許文献５】実開平７−３６７８号公報
【考案の概要】
【考案が解決しようとする課題】
【００１８】  しかしながら、前記従来技術における問題は、多くのクラブで実施されている図４に示すシャフトの手元側の長さ程度であれば、殆どグリップの内部でパラレル部とテーパー部が変化して問題はないが、特許文献３，４ともパラレル部を長くすることが目的のため、特許文献３では、大径部をシャフト全長の３０〜５７％及び４０〜６０％に限定し、特許文献４では、大径部をシャフト全長の４０〜６０％に限定している。【００１９】  しかし、パラレル部とテーパー部とが変化する部位は、曲げモーメントが大きく加わる位置でもあり、急激な変化点は集中応力が掛かるため衝撃による折損の危険性があり、好ましくないばかりでなく、ゴルフクラブの外観上も、ゴルファーに威圧感を与えて好ましいことではない。【００２０】  また、ゴルフは多分にメンタルの面も大切なため、手元側の太さを意識させることは、ゴルファーに余計な力みを持たせ、滑らかなスイングが乱されるマイナス面も有するものである。【００２１】  そこで本考案の目的は、前記従来の技術（シャフトの手元側径を太くしたもの及び手元側径を変えずにパラレル部を長くしたもの）の課題を解決し、手元側の剛性を高め、先調子のクラブとして安心して叩けると共に、その結果として飛びと方向性の良いゴルフクラブとなるゴルフクラブ用シャフトを提供することにある。
【課題を解決するための手段】
【００２２】  本考案のゴルフクラブ用シャフトは、一方にゴルフヘッドを固着し、他の一方にグリップを装着した炭素繊維強化樹脂製のゴルフ用シャフトであり、手元側を等径のパラレル部とし、他の部分を先端部分までテーパー部とした形状のゴルフ用シャフトにおいて、前記パラレル部におけるパラレル線と前記テーパー部におけるテーパー線の交点近傍を、両線に接線で連結する円弧で結ぶような形状にし、かつ前記円弧の半径を５００ｍｍ以上２０００ｍｍ以下に設定したことを特徴とする。【００２３】  また、異なる２つのテーパー線とテーパー線が存在する場合、その交点近傍を両線に接線で連結する円弧で結ぶ形状にしたことを特徴とする。
【考案の効果】
【００２４】  本考案のゴルフクラブ用シャフトによれば、手元側パラレル部を長くしても、それより先端側にテーパー部に切り替わる変化点の前後から、両線に接線として連結する円弧状を設定することにより、集中応力を平均化して分散せしめ、折損の危険防止と耐久性を向上させ、外観的にもグリップから少し太く感じたとしても、自然になだらかに細部テーパーに移行させることができる。
【図面の簡単な説明】
【００２５】
【図１】本考案の実施形態であるゴルフクラブ用シャフトの構成図である。
【図２】本実施形態の要部（図１のＡ部）の拡大説明図である。
【図３】従来のゴルフクラブ用シャフトの構成図である。
【図４】従来の他のゴルフクラブ用シャフトの構成図である。
【図５】従来の他のゴルフクラブ用シャフトの構成図である。
【考案を実施するための形態】
【００２６】  以下に本考案の最適な実施形態を図面に基づいて説明する。なお、図１，図２に記載した符号において、図３〜図５にて説明した部位と同一部位には同一符号を用いている。
【００２７】  図１は本考案の実施形態であるゴルフクラブ用シャフトの構成図、図２は図１に示す本実施形態の要部の拡大説明図である。
図１に示すように、本実施形態のゴルフクラブ用シャフトでは、手元側のパラレル部Ｓ１が、図４のシャフトの手元側Ｓ２に比べて長いが、先端側のパラレル部Ｓ３は同程度の長さである。本実施形態において、手元側のパラレル部Ｓ１と先端側のパラレル部Ｓ３との間がテーパー部ｔ３となっている。図１おいて、特にＡ部に特徴がある。
【００２８】  図２は、図１におけるＡ部を詳細に示しており、判り易く誇張して図示したものであり、テーパー部ｔ３と手元側のパラレル部Ｓ１の交点Ｄ部分は大きな円弧Ｒで繋がっている。
【００２９】  本実施形態において、具体的には、先端側のパラレル部Ｓ３の径（φｄ１）を８．５ｍｍ、先端側のパラレル部Ｓ３の長さを１００ｍｍとし、手元側のパラレル部Ｓ１の径（φＤ１）を一般的な１５．５ｍｍ、手元側端の狙い寸法（φＤ２）を２０．０ｍｍ想定すれば、手元側からのパラレル線とテーパー線との交点Ｄまでのパラレル部Ｓ１の寸法は自動的に決まる。
【００３０】  そして、手元側のパラレル部Ｓ１の中央寄りの端部とテーパー部ｔ３との交点Ｄ部分を、半径Ｒ（＝６００ｍｍ）で結ぶような形状にし、手元側のパラレル部Ｓ１とテーパー部ｔ３との交点Ｄにおいて、コーナーの角ばりがないシャフトとした。
【００３１】  従来のものはシャフト表面の角が研磨により丸くなる程度で、その角は応力集中が発生し易く使用中に折れる危険があった。
【００３２】  即ち、本実施形態は、手元側のパラレル部の端面で設定太径を設計上設定し、先端からのテーパーを定め、設定の通常径のパラレルとの交点を求め、それにパラレル長さの両線に接線継続する円弧で連結したものである。
【００３３】  この円弧Ｒの半径は５００ｍｍ以上であることが望ましく、かつ２０００ｍｍ以下である必要もある。
【００３４】  なお、本考案の要点でもある手元側パラレル線Ｓ１と先端側テーパー線ｔ３の交点Ｄ近傍を、両線の接線で継続する円弧Ｒで結ぶようにした接線継続についての効果について詳しく説明する。
【００３５】  即ち、図２において、パラレル線Ｓ１とテーパー線ｔ３の夫々に垂直な線分Ｏ−Ｂ，Ｏ−Ｃは設定する円弧Ｒの法線である。従って、この法線の交点Ｏは円弧Ｒの中心であり、このＯ点を中心にして円を描けば、接線継続して段差のない、なだらかに連続することになるのである。
【００３６】  図２において２本の法線が形成する角度をθとして示しており、交点Ｄの左右は同一角度のθ／２となる。
【００３７】  なお、円弧Ｒの大きさを５００ｍｍ以上２０００ｍｍ以下に限定したのは、５００ｍｍ以下では既述した直線と直線の交点の単なる研磨ダレと見えるからであり、また、２０００ｍｍ以下としたのは、これ以上の大径では直線に見えるからである。
【００３８】  ここで、本考案を単なる直線と直線との交点を研磨ダレによるものと同一であると誤解されることを防ぐために説明を追加する。
【００３９】  即ち、本考案は、両直線に接線継続する円弧で連続するためのものであるため、一般にＣＦＲＰを成型する上で使用する円柱状の芯金（通常マンドレルと呼ぶ）も同じ仕様で製作され、シャフトの肉厚を一定とすれば内径は外径形状に対し、肉厚分マイナスした同一形状である。従って、シャフトの外径の長手方向における中間上に屈曲点がないため、研磨ダレは発生しない。
【００４０】  これに対し、従来のパラレル線とテーパー線の直線上の交点は、外観的に交点部を意識させないためにも、その交点に集中して研磨が行われるため、外観は丸く研磨ダレしたとしても、局部的な集中応力が発生しやすくなり、使用中に破損につながる危険性が考えられる。
【００４１】  また、本実施形態の変形例として、先端側のパラレル部Ｓ３を無くしたり、図１に示すシャフトより短くしたりすることが考えられる。即ち、本考案は、手元側のパラレル部Ｓ１から先端部分までテーパー部ｔ３とする構造のものにも適用することができる。
さらに、本実施形態の他の変形例として、パラレル部とテーパー部の交点近傍の改良にとどまらず、例えば特許文献３の図１（Ｂ）にあるようなテーパー部とテーパー部の交点近傍の改良にも通じるものである。即ち、直線と直線の交点は既述したパラレル線とテーパー線の交点での問題と同じに、集中応力と外観上のマイナスが発生するが、これらのことを解決することができる。
【００４２】  なお、シャフト先端径は通常径、手元側径も通常径であっても、それら通常径はシャフの硬さ（通常Ｘ，Ｓ，Ｒ，Ａ，Ｌと必要に応じＸＸ）によって異なる。また、長さも既述したようにゴルファー層によって異なるものである。このため、本実施形態では設定太径を狙い寸法とし、設計計算されるパラレル部の長さはやや長めに設定されるが、交点近傍に接線で連結する円弧を設けたことにより、実際のものより短く感じられ、パラレル部が長く剛性が維持されながら、見た目には違和感のないシャフトとなる。
【００４３】  この結果、軽量化したヘッドに当シャフトを組み込み、所謂、叩けるシャフトになり得て、飛んで曲がらない、ゴルファーの求めるゴルフクラブとして市場に送り出し、世に貢献することが可能になる。
【００４４】  具体的実施例として、シャフトの全長１１５０ｍｍ、前記設定の先端側の径（φｄ１）を８．５ｍｍ、先端パラレル部Ｓ３の長さを１００ｍｍ、手元側径（φＤ１）を１５．５ｍｍとし、手元太径（φＤ２）を２０ｍｍと想定して、パラレル部Ｓ１の長さを計算すると４１０ｍｍになる。
そして、図２に示す交点Ｄで交差するパラレル線Ｓ１とテーパー線ｔ３に接線で連結する円弧Ｒの半径を６００ｍｍに設定し、シャフトを設計した。
【００４５】  この実施例のシャフトに、ヘッドとグリップを組み付けてゴルフシャフトとして作成した結果、グリップ下からスムースにテーパーに移行し、従来のものより太さが感じられ、手元しっかり感があり、所謂、叩けるシャフトの信頼感を感じられた。従来のシャフトは全体が細く感じられ、頼りない印象があった。
【産業上の利用可能性】
【００４６】  本考案は、ウッド，アイアンなど各種ゴルフクラブ用のシャフトに適用することができる。
【符号の説明】
【００４７】Ｓ１  手元側のパラレル部
Ｓ３  先端側のパラレル部
ｔ３  テーパー部
Ｒ  円弧
【図１】
0003160014.tif 000003
【図２】
0003160014.tif 000004
【図３】
0003160014.tif 000005
【図４】
0003160014.tif 000006
【図５】
0003160014.tif 000007